(57)【要約】【課題】気密テープと気密シートとの間に空気が流通する箇所が有るか否かを視認することができ、空気が流通する箇所を確実に遮断することができる気気密用ボックスカバー、及び気密用ボックスカバーを用いた配線ボックスの設置方法を提供する。【解決手段】ボックスカバー２０において、カバー本体２１の開口部２０ａの開口縁全周にはフランジ部２６が一体形成されている。フランジ部２６には、裏面がフランジ部２６の全周に亘って貼着されるとともに、表面が気密シート３４に貼着される両面テープ２９が設けられている。この両面テープ２９は両面が白色以外の有色に形成されている。【選択図】図３
2010259239.tif 000002
【特許請求の範囲】
【請求項１】
建築物の壁裏で配線ボックスを収容するとともに、前記壁裏に設けられた透明又は半透明の気密シートに対して気密に貼着される気密用ボックスカバーであって、
一面に開口部を有するとともに該開口部から前記配線ボックスを収容可能な有底箱状に形成されたカバー本体と、
前記開口部の開口縁全周から前記カバー本体の外方に向けて延びる環状のフランジ部とを備え、
前記フランジ部に、一面が該フランジ部の全周に亘って貼着されるとともに、他面が前記気密シートに貼着される気密テープが設けられ、該気密テープの他面が白色以外の有色に形成されていることを特徴とする気密用ボックスカバー。
【請求項２】
前記フランジ部は透明又は半透明に形成されるとともに、前記気密テープの一面も白色以外の有色に形成されていることを特徴とする請求項１に記載の気密用ボックスカバー。
【請求項３】
建築物の壁裏で配線ボックスを収容するとともに、前記壁裏に設けられた透明又は半透明の気密シートに対して気密に貼着される気密用ボックスカバーを用いた配線ボックスの設置方法であって、
前記気密用ボックスカバーが、一面に開口部を有するとともに該開口部から前記配線ボックスを収容可能な有底箱状に形成されたカバー本体と、前記開口部の開口縁全周から前記カバー本体の外方に向けて延びる環状のフランジ部とを備えており、
前記カバー本体に前記配線ボックスが収容された状態で前記気密用ボックスカバーを前記建築物の構築物に固定し、
前記フランジ部と前記気密シートとを、気密テープで貼着した後、
白色以外の有色に形成された前記気密テープにおける前記気密シートに対する貼着面を視認することで前記気密シートと前記気密テープとの貼着状態を視認することを特徴とする気密用ボックスカバーを用いた配線ボックスの設置方法。
【発明の詳細な説明】
【技術分野】
【０００１】
本発明は、気密シートに対して気密に貼着される気密用ボックスカバー、及び気密用ボックスカバーを用いた配線ボックスの設置方法に関する。
【背景技術】
【０００２】
建築物の壁としての軽量間仕切壁は、軽量形鋼材を立設し、該軽量形鋼材を挟むようにして壁材（例えば、石膏ボード）を立設することで構築される。軽量間仕切壁は、対となる壁材の間に中空部が形成されており、中空部には発泡ポリスチレン板やグラスウール、硬質発泡ウレタン板等の断熱部材が配設されている。また、例えば室内での冷暖房効率の向上を図るために、中空部内における断熱部材よりも室内側には、断熱部材を覆うようにポリエチレンフィルム等の気密シートが設けられている。この気密シートによって外気と内気との流通が遮断され、気密性が向上されることにより、冷暖房効率の向上が図られている。
【０００３】
また、軽量間仕切壁に配線器具を設置するため、中空部内には、前面に開口を有する有底四角箱状の配線ボックスが設置される。配線ボックスの設置に伴う気密性の低下を防止するため、配線ボックスは、可撓性を有する合成樹脂、例えばポリプロピレンシートをプレス成型や真空成型してなる気密用ボックスカバーに収納されている。そして、このような気密用ボックスカバーとしては、例えば特許文献１に記載の気密部材がある。
【０００４】
特許文献１に記載の気密部材は、一面を開口する略箱状に形成された収納部と、収納部の開口縁に外周方向の外方に向けて鍔状に突出するフランジ部とが一体形成されるとともに、配線ボックスは気密部材の収納部に収納される。気密部材のフランジ部には、気密シートが気密テープにて気密に取り付けられており、フランジ部と気密シートとの間を気密テープによりシールして、フランジ部と気密シートとの間の空気の流通を遮断している。その結果、配線ボックスを介した外気と内気との流通が遮断され、気密性の低下が防止されるようになっている。
【先行技術文献】
【特許文献】
【０００５】
【特許文献１】特開平８−３０２８３８号公報
【発明の概要】
【発明が解決しようとする課題】
【０００６】
ところで、特許文献１に開示の気密部材では、気密シートと気密テープとの間に気泡が入り込んで、気密シートと気密テープとの間に、気密用ボックスカバーの内と外を連通し、空気が流通する箇所が形成されてしまい、外気と内気との流通が遮断できなくなってしまうことがある。しかしながら、特許文献１には、気密シートと気密テープとの間に空気が流通する箇所が形成されているか否かを確認することについては何ら開示されておらず、空気が流通する箇所を確実に遮断することができないという問題があった。
【０００７】
本発明は、このような従来の技術に存在する問題点に着目してなされたものであり、その目的は、気密テープと気密シートとの間に空気が流通する箇所が有るか否かを視認することができ、空気が流通する箇所を確実に遮断することができる気密用ボックスカバー、及び気密用ボックスカバーを用いた配線ボックスの設置方法を提供することにある。
【課題を解決するための手段】
【０００８】
上記問題点を解決するために、請求項１に記載の発明は、建築物の壁裏で配線ボックスを収容するとともに、前記壁裏に設けられた透明又は半透明の気密シートに対して気密に貼着される気密用ボックスカバーであって、一面に開口部を有するとともに該開口部から前記配線ボックスを収容可能な有底箱状に形成されたカバー本体と、前記開口部の開口縁全周から前記カバー本体の外方に向けて延びる環状のフランジ部とを備え、前記フランジ部に、一面が該フランジ部の全周に亘って貼着されるとともに、他面が前記気密シートに貼着される気密テープが設けられ、該気密テープの他面が白色以外の有色に形成されていることを要旨とする。
【０００９】
請求項２に記載の発明は、請求項１に記載の気密用ボックスカバーにおいて、前記フランジ部は透明又は半透明に形成されるとともに、前記気密テープの一面も白色以外の有色に形成されていることを要旨とする。
【００１０】
請求項３に記載の発明は、建築物の壁裏で配線ボックスを収容するとともに、前記壁裏に設けられた透明又は半透明の気密シートに対して気密に貼着される気密用ボックスカバーを用いた配線ボックスの設置方法であって、前記気密用ボックスカバーが、一面に開口部を有するとともに該開口部から前記配線ボックスを収容可能な有底箱状に形成されたカバー本体と、前記開口部の開口縁全周から前記カバー本体の外方に向けて延びる環状のフランジ部とを備えており、前記カバー本体に前記配線ボックスが収容された状態で前記気密用ボックスカバーを前記建築物の構築物に固定し、前記フランジ部と前記気密シートとを、気密テープで貼着した後、白色以外の有色に形成された前記気密テープにおける前記気密シートに対する貼着面を視認することで前記気密シートと前記気密テープとの貼着状態を視認することを要旨とする。
【発明の効果】
【００１１】
この発明によれば、気密テープと気密シートとの間に空気が流通する箇所が有るか否かを視認することができ、空気が流通する箇所を確実に遮断することができる。
【図面の簡単な説明】
【００１２】
【図１】本実施形態における配線ボックス及び気密用ボックスカバーを示す斜視図。
【図２】配線ボックスを内部に収容した気密用ボックスカバーが柱に固定された状態を示す斜視図。
【図３】気密シートで気密用ボックスカバーにおける開口側を覆った状態を示す斜視図。
【図４】気密シートで気密用ボックスカバーにおける開口側を覆った状態を示す断面図。
【図５】別の実施形態における両面テープを示す平面図。
【図６】（ａ）は別の実施形態におけるボックスカバーの平面図、（ｂ）は両面テープの一部拡大斜視図。
【発明を実施するための形態】
【００１３】
以下、本発明を具体化した気密用ボックスカバーの一実施形態を図１〜図４にしたがって説明する。
まず、配線ボックス１１について説明する。
【００１４】
図１に示すように、配線ボックス１１は、合成樹脂材料により一面に開口を有する有底四角箱状に形成されている。詳細には、配線ボックス１１は、長方形状をなす底壁１２と、該底壁１２の周縁から立設された四つの側壁１３ａ〜１３ｄとから形成されている。なお、以下の説明において、図１の上下に対向する短側壁を上側壁１３ａ及び下側壁１３ｂとし、図１の左右に対向する長側壁を右側壁１３ｃ及び左側壁１３ｄとする。
【００１５】
上側壁１３ａ及び下側壁１３ｂには、ケーブル挿通孔１５が二つずつ形成されている。一方のケーブル挿通孔１５はノック部１４によって閉鎖され、他方のケーブル挿通孔１５にはノック部１４が形成されず開放されている。また、上側壁１３ａ及び下側壁１３ｂの内面には、図示しない配線器具を配線ボックス１１に取り付けるために用いられるボス部１９が形成されている。左側壁１３ｄの外面には、配線ボックス１１を建築物の構築物としての柱３１に固定する際、柱３１に当接させる当接座部１７が突設され、この当接座部１７にはビス孔１８が複数（実施形態では三つ）形成されている。
【００１６】
次に、気密用ボックスカバー２０（以下、単に「ボックスカバー２０」と記載する）について説明する。
ボックスカバー２０は、一面に開口部２０ａを有する有底四角箱状に形成されたカバー本体２１を備えている。詳細には、カバー本体２１は、長方形状をなす底部２２と、該底部２２の周縁から立設された四つの側壁２３ａ〜２３ｄとから形成されてなり、底部２２と四つの側壁２３ａ〜２３ｄによって囲み形成された収容部２４を有する。なお、以下の説明において、図１の上下に対向する短側壁を上側壁２３ａ及び下側壁２３ｂとし、図１の左右に対向する長側壁を右側壁２３ｃ及び左側壁２３ｄとする。カバー本体２１は、透明であるとともに可撓性を有する合成樹脂、例えばポリプロピレンシートをプレス成型や真空成型してなる。そして、四つの側壁２３ａ〜２３ｄの各先端が位置する平面をカバー本体２１の開口面とし、開口部２０ａは、四つの側壁２３ａ〜２３ｄに囲み形成されるとともに開口面に開口している。また、上側壁２３ａ及び下側壁２３ｂには、ケーブル挿通部２７が二つずつ形成されている。このケーブル挿通部２７は、ケーブル２８（図２参照）を挿通するときに初めて開口され、ケーブル２８が挿通されないときは閉鎖されている。
【００１７】
四つの側壁２３ａ〜２３ｄはそれぞれ底部２２から開口部２０ａに向かうに従い、カバー本体２１の長辺方向及び短辺方向へ開口幅を広げるように形成され、収容部２４は底部２２から開口部２０ａに向かうに従い広がるように形成されている。
【００１８】
図２に示すように、収容部２４は、開口部２０ａから収容部２４内に配線ボックス１１を収容可能とし、収容部２４に収容された配線ボックス１１の外面全体を覆う大きさに形成されている。収容部２４の大きさは、収容部２４に配線ボックス１１が収容された状態では、配線ボックス１１の右側壁１３ｃ及び左側壁１３ｄにおける当接座部１７の外面が、対向する各側壁２３ｃ，２３ｄの内面に当接し、収容部２４内での配線ボックス１１の左右方向への移動が規制されるような大きさに設定されている。また、収容部２４の深さは、配線ボックス１１の底壁１２をカバー本体２１の底部２２に当接させた状態では、配線ボックス１１の開口側がカバー本体２１の開口面から突出しないように設定されている。
【００１９】
カバー本体２１における開口部２０ａの開口縁全周には、四角環状をなす透明のフランジ部２６が一体形成されている。このフランジ部２６は、開口部２０ａの開口縁の全周からカバー本体２１の外方に向けて延びるように形成されるとともに、フランジ部２６の前面はカバー本体２１の開口面上に位置している。そして、フランジ部２６は、可撓性を有するカバー本体２１に一体成形されているため、その基端を中心として底部２２側又は底部２２から離れる側に向けて傾倒可能に形成されている。
【００２０】
フランジ部２６の前面には、気密テープとしての帯状をなす両面テープ２９が４本貼り付けられている。各両面テープ２９は、両面が全面に亘って黒色に形成されている。ここで、本実施形態において、「黒色」とは一般に濃色と判断できる色のことをいい、黒色透明で形成された両面テープも含んでいる。
【００２１】
４本の両面テープ２９は、両面テープ２９の長辺方向が、カバー本体２１の各側壁２３ａ〜２３ｄの長辺方向に沿って延びるように、各両面テープ２９の一面である裏面がフランジ部２６の前面に貼着されている。また、４本の両面テープ２９は、隣り合う両面テープ２９同士で端部が重なり合うようにフランジ部２６に貼着されている。本実施形態では、上下の両面テープ２９の両端部が、左右の両面テープ２９の上下各端部上に貼着されている。そして、４本の両面テープ２９によりフランジ部２６の前面が全周に亘って覆われている。なお、各両面テープ２９は、裏面がフランジ部２６の前面に貼着されるとともに、他面である表面には剥離紙（図示せず）が貼着されている。
【００２２】
配線ボックス１１が設置される壁Ｗは、図３及び図４に示すように、柱３１と、その柱３１の前後両面に立設される一対の壁材３２とによって構成されるようになっている。また、一対の壁材３２の間には中空部３３が形成されており、中空部３３には発泡ポリスチレン板やグラスウール、硬質発泡ウレタン板等の断熱部材（図示せず）が設けられている。また、中空部３３において断熱部材よりも室内側には断熱部材を覆うようにポリエチレンフィルム等の透明の気密シート３４が設けられている。
【００２３】
次に、ボックスカバー２０を用いた配線ボックス１１の壁Ｗに対する設置方法を説明する。
まず、配線ボックス１１が収容された状態のボックスカバー２０を柱３１に固定するには、図２に示すように、ボックスカバー２０を、フランジ部２６の左側後面が柱３１の前面側に位置するように配置する。次に、配線ボックス１１のビス孔１８に図示しない固定ビスを挿通するとともに、固定ビスをボックスカバー２０の左側壁２３ｄを貫通させて柱３１に強制的に螺入する。すると、ボックスカバー２０が柱３１に固定されるとともに、配線ボックス１１がボックスカバー２０内に収容された状態で柱３１に固定される。
【００２４】
次に、ケーブル２８をケーブル挿通部２７を介してボックスカバー２０内に挿通するとともに、ボックスカバー２０内に挿通されたケーブル２８をさらにケーブル挿通孔１５を介して配線ボックス１１内に挿通する。次に、両面テープ２９の表面に設けられた剥離紙を剥がし、両面テープ２９の表面を露出させておく。
【００２５】
次に、図３及び図４に示すように、断熱部材及びボックスカバー２０より室内側に、ポリエチレンフィルム等の透明の気密シート３４を設ける。なお、図４に示すボックスカバー２０、両面テープ２９及び気密シート３４の断面の厚みは、説明の都合上、厚みを誇張して描いている。気密シート３４は、柱３１の一部に対して例えばタッカー等により固定される。
【００２６】
次に、気密シート３４を両面テープ２９の表面全体に貼着する。ところで、図３の一部を拡大して示すように、気密シート３４と両面テープ２９を貼着する際に、気密シート３４と、両面テープ２９との間に気泡３５が入り込んでしまう。さらには、気密シート３４と両面テープ２９との間に、ボックスカバー２０より外と収容部２４とを連通し空気が流通する箇所（以下、流通路３５ａと記載する）が形成されてしまう場合がある。しかし、流通路３５ａの背景には黒色の両面テープ２９が設けられているため、両面テープ２９の気密シート３４に対する貼着面（表面）を視認すると、流通路３５ａは両面テープ２９上に白色に浮かび上がり、気密シート３４と両面テープ２９との間に形成された流通路３５ａを容易に視認することができる。そして、流通路３５ａが視認できたら、流通路３５ａを指で押し潰す等して抹消して、ボックスカバー２０の外と収容部２４との空気の流通を確実に遮断する。
【００２７】
両面テープ２９と気密シート３４との間の流通路３５ａが確実に遮断されていることを確認した後、気密シート３４におけるカバー本体２１の開口部２０ａを覆っている部位を、開口部２０ａの開口縁に沿って切り取ることで、気密シート３４より前側に向けて開口部２０ａを開口させる。さらに、柱３１を挟むように他方の壁材３２をボックスカバー２０の前面側に立設することにより、図４に示すように、壁Ｗが構築されるとともに壁Ｗ内の中空部３３に配線ボックス１１が設置される。配線ボックス１１の設置状態では、気密シート３４と両面テープ２９との貼着により、気密シート３４とボックスカバー２０との間が気密にシールされる。
【００２８】
上記実施形態では以下の効果を得ることができる。
（１）フランジ部２６の前面にはフランジ部２６の全周に亘って両面テープ２９の裏面が貼着されるとともに、気密シート３４に貼着される両面テープ２９の表面が黒色に形成されている。よって、気密シート３４と両面テープ２９との間に流通路３５ａが形成されていても、黒色の両面テープ２９上に流通路３５ａが浮かび上がり、流通路３５ａの有無を容易に視認することができる。よって、両面テープ２９と気密シート３４を貼着する作業時、流通路３５ａを確実に抹消することができ、流通路３５ａを確実に遮断することができる。その結果として、気密シート３４とボックスカバー２０との間を気密にシールして、配線ボックス１１を設置したことによる気密性の低下を防止することができる。
【００２９】
（２）フランジ部２６は透明に形成されるとともに、両面テープ２９の両面が黒色からなる。よって、両面テープ２９の裏面が貼着されるフランジ部２６と両面テープ２９との貼着状態をフランジ部２６の後面側からフランジ部２６を通して視認することができる。したがって、フランジ部２６の前面と両面テープ２９の裏面との間での流通路３５ａの有無を容易に視認することができる。よって、両面テープ２９をフランジ部２６に貼着して一体に設ける際に、流通路３５ａを確実に抹消することができ、流通路３５ａを確実に遮断することができる。その結果として、両面テープ２９とフランジ部２６との間を気密にシールして、配線ボックス１１を設置したことによる気密性の低下を防止することができる。
【００３０】
（３）両面テープ２９は、両面において全面に亘って黒色で形成されている。よって、気密シート３４と両面テープ２９との間に流通路３５ａが形成されたとしても、両面テープ２９が白色や淡い色（例えば、薄い赤や薄い黄等）で形成されている場合と比較して、流通路３５ａの有無を容易に視認することができる。
【００３１】
（４）ボックスカバー２０にフランジ部２６を設け、そのフランジ部２６に貼着した両面テープ２９を気密シート３４に貼着することで、ボックスカバー２０の外と収容部２４との連通を遮断することができる。よって、ボックスカバー２０の外と収容部２４との連通を遮断するため、壁材３２とフランジ部２６との間にパッキンを挟持する場合のように、壁材３２が立設されていなくてもボックスカバー２０の外側と収容部２４内との連通を遮断することができる。
【００３２】
なお、上記実施形態は以下のように変更してもよい。
○  実施形態において、フランジ部２６の前面には両面テープ２９が予め貼り付けられていたが、これに限らない。例えば、まず、フランジ部２６の前面に両面テープ２９を貼り付けていない状態で、配線ボックス１１が収容されたボックスカバー２０を配線ボックス１１とともに柱３１に固定するとともに、ケーブル２８をケーブル挿通部２７及びケーブル挿通孔１５を介して配線ボックス１１内に引き込む。次に、ボックスカバー２０及び配線ボックス１１における開口側及び断熱部材を覆うようにポリエチレンフィルム等の透明の気密シート３４を覆い被せる。さらに、気密シート３４の表面において、フランジ部２６と対応する部位全周に亘るように両面テープ２９の裏面を四角環状に貼着する。
【００３３】
そして、気密シート３４における両面テープ２９が貼着された内側を両面テープ２９の縁部に沿って切り取ることで、収容部２４を開口させる。ここで、両面テープ２９と気密シート３４との間の流通路３５ａの有無を気密シート３４の裏面側から視認する。さらに、両面テープ２９と気密シート３４との間の流通路３５ａを遮断した後、フランジ部２６の基端を中心として底部２２から離れる側に向けて傾倒させるとともに、フランジ部２６を気密シート３４よりも前面側へ露出するように取り出す。そして、気密シート３４よりも前面側へ露出させたフランジ部２６の後面と両面テープ２９の表面とを貼着する。ここで、フランジ部２６の後面と両面テープ２９との間の流通路３５ａの有無をフランジ部２６の前面を通して視認する。フランジ部２６の後面と気密シート３４との間の流通路３５ａが確実に遮断されていることを確認した後、上記実施形態と同様に、柱３１を挟むように他方の壁材（図示せず）をボックスカバー２０の前面側に立設して壁Ｗを構築する。
【００３４】
○  実施形態において、両面テープ２９は、表裏両面において全面に亘って黒色で形成されているが、これに限らない。例えば、図５に示すように、両面テープ２９の幅方向（図５に示す矢印Ｘの方向）の長さの半分を境目に黒色の領域２９ａと透明の領域２９ｂとに色が分かれている両面テープ２９であってもよい。
【００３５】
○  実施形態において、４本の両面テープ２９は、上下の両面テープ２９の両端部が、左右の両面テープ２９の上下各端部上に貼着されているが、これに限らない。例えば、図６（ａ）に示すように、上下の両面テープ２９の一端部２９１が、左右の両面テープ２９の他端部２９２上に貼着されるとともに、上下の両面テープ２９の他端部２９３が、左右の両面テープ２９の一端部２９４下に貼着されていてもよい。この場合、図６（ｂ）に示すように、各両面テープ２９の表面に設けられた剥離紙Ｐは、上下の両面テープ２９の一端部２９１及び左右の両面テープ２９の一端部２９４から剥がすとともに、上下の両面テープ２９の他端部２９３及び左右の両面テープ２９の他端部２９２において、重なり合った両面テープ２９同士の間から引き抜く。よって、上下の両面テープ２９の両端部が、左右の両面テープ２９の上下各端部上に貼着されている場合と比較して、剥離紙Ｐを両面テープ２９の表面から容易に剥離することができる。
【００３６】
○  実施形態において、両面テープ２９の色は、黒色に限らず、例えば、寒色系の色である青、緑、紫等であってもよく、暖色系の色である赤、黄等であってもよい。なお、これらの色は、気密シート３４と両面テープ２９との間において、ボックスカバー２０より外と収容部２４とを連通し空気が流通する流通路３５ａが形成されていることを容易に視認可能な濃い青、濃い緑、濃い紫、濃い赤、濃い黄等であるとより好ましい。
【００３７】
○  実施形態において、両面テープ２９は表裏両面が黒色で形成されているが、これに限らず、気密シート３４が貼着される両面テープ２９の表面（他面）のみが黒色で形成されていてもよい。
【００３８】
○  実施形態において、ボックスカバー２０は、カバー本体２１及びフランジ部２６が共に透明に形成されているが、これに限らず、例えば、フランジ部２６のみ透明に形成してもよい。
【００３９】
○  実施形態において、ボックスカバー２０は透明に形成されているが、これに限らず、ボックスカバー２０全体が半透明に形成されていてもよい。
○  フランジ部２６は４本の両面テープ２９を繋いで四角環状にするものでなく、予め四角環状に一体形成されていてもよい。
【００４０】
○  実施形態において、一対の壁材３２のうち一方の壁材３２を、柱３１に固定されるボックスカバー２０の前面側となる位置に立設し、柱３１にボックスカバー２０及び配線ボックス１１を固定した後、他方の壁材３２をボックスカバー２０の後面側に立設して壁Ｗを構築してもよい。
【００４１】
○  実施形態において、フランジ部２６の前面に両面テープ２９を予め貼り付けたが、これに限らず、フランジ部２６の後面に両面テープ２９を予め貼り付けてもよい。この場合、気密シート３４に形成された開口を介して、ボックスカバー２０を底部２２側から挿入するとともに、気密シート３４の前面とフランジ部２６の後面に貼着された両面テープ２９とを貼着する。ここで、フランジ部２６の基端を中心として底部２２から離れる側に向けて傾倒させることで、両面テープ２９と気密シート３４との間の流通路３５ａの有無を確認する。すなわち、フランジ部２６は透明又は半透明に形成されるとともに、両面テープ２９の表面が黒色（有色）であれば、フランジ部２６の前面側又は後面側のいずれに両面テープ２９を予め貼り付けたとしても、両面テープ２９と気密シート３４との貼着状態を視認することができる。
【００４２】
次に、上記実施形態及び別例から把握できる技術的思想について以下に追記する。
（ア）前記気密テープは、全面に亘って黒色で形成されていることを特徴とする請求項１又は請求項２に記載の気密用ボックスカバー。
【００４３】
（イ）前記気密テープは、前記気密シートと前記気密テープとの間において、前記カバー本体より外と前記カバー本体内とを連通し空気が流通する流通路が形成されていることを視認可能とするために白色以外の有色に形成されていることを特徴とする請求項１、請求項２及び前記技術的思想（ア）のいずれか一項に記載の気密用ボックスカバー。
【００４４】
（ウ）前記気密テープは帯状に形成されるとともに、前記気密テープの長辺方向が、前記カバー本体を形成する各側壁の長辺方向に沿って延びるようにそれぞれ１枚ずつ前記フランジ部に貼着され、前記各気密テープにおいて、隣り合う気密テープ同士の端部が重なり合って、且つ、前記気密テープの一端部が隣り合う気密テープの他端部上に貼着されていることを特徴とする請求項１、請求項２、前記技術的思想（ア）及び前記技術的思想（イ）のいずれか一項に記載の気密用ボックスカバー。
【００４５】
（エ）前記フランジ部は透明又は半透明に形成されるとともに、前記気密テープの両面が白色以外の有色に形成され、前記フランジ部と前記気密テープとの貼着状態を視認することを特徴とする請求項３に記載の気密用ボックスカバーを用いた配線ボックスの設置方法。
【符号の説明】
【００４６】
Ｗ…壁、１１…配線ボックス、２０…気密用ボックスカバー、２０ａ…開口部、２１…カバー本体、２６…フランジ部、２９…気密テープとしての両面テープ、３１…構築物としての柱、３４…気密シート。
【図１】
2010259239.tif 000003
【図２】
2010259239.tif 000004
【図３】
2010259239.tif 000005
【図４】
2010259239.tif 000006
【図５】
2010259239.tif 000007
【図６】
2010259239.tif 000008